(57)【要約】      （修正有）【課題】従来の浴槽、洗濯槽浮遊物吸着具と同様に、水面の皮脂、垢などを吸着し、中芯材を包被する外被布に表示部を施さなくても、吊紐の下部にキャラクターなどの装飾体を付設することにより、興趣に富み、外観上の意匠的価値を向上させ浴槽に浮かして遊ぶ楽しみのおもちゃにもなる浴槽、洗濯槽浮遊物吸着具を提供する。【解決手段】親油性繊維材と浮力材を混合して中芯材とする。中芯材を親油性繊維の外被布２で包被する。浴槽Ａや洗濯槽に浮かべて浮遊物などを吸着する吸着具である。吊紐４の下部にキャラクターなどの装飾体５を付設する。【選択図】図６
0003154541.tif 000002
【実用新案登録請求の範囲】
【請求項１】
親油性繊維材と浮力材を混合する中芯材と、その中芯材を包被する親油性繊維の外被布とからなり、浴槽や洗濯槽に浮かべて浮遊物などを吸着する吸着具であって、吊紐の下部にキャラクターなどの装飾体を付設したことを特徴とする浴槽、洗濯槽浮遊物吸着具。
【請求項２】
前記キャラクターなどの装飾体は、人、動物、植物、物体、器物、乗り物、擬人化動植物などから選ばれた一つのキャラクターの形状を模した装飾体であることを特徴とする請求項１に記載の浴槽、洗濯槽浮遊物吸着具。
【考案の詳細な説明】
【技術分野】
【０００１】
本考案は、浴槽や洗濯槽の水面に浮遊する皮脂や垢を吸着する吸着具に関し、さらに詳しくは、幼児や子供などが喜ぶキャラクターなどの装飾体を設けた浴槽、洗濯槽浮遊物吸着具に関するものである。
【０００２】
従来から、親油性繊維材と浮力材とでボール状の中芯材を形成し、その中芯材を親油性繊維からなる有底筒状外被布の底部に入れ、上部の外被布を反転して折り返し包被した浴槽、洗濯槽浮遊物吸着具が知られている。
【０００３】
この浴槽、洗濯槽浮遊物吸着具を浴槽や洗濯槽内に入れることにより、先に入浴した人の皮脂、垢などを吸着したり、洗濯により衣類に付いた皮脂を剥離して水面に浮かぶ皮脂を吸着し、排水時の衣類への再付着を防止すると共に、浴槽や洗濯槽の壁面に付着するのを軽減させて壁面の汚れが少なくなって掃除が楽になる。また、浴槽の場合には、残り湯は汚れが吸着されているから、きれいになって洗濯水に再利用できるなどの便利な浴槽、洗濯槽浮遊物吸着具が本考案者によって提供されており好評を得ている。
【０００４】
その浴槽、洗濯槽浮遊物吸着具は、始めは水面に浮遊する皮脂や垢を吸着することを目的として開発されたため、外見上何等変哲のない形態であり、見栄えが悪く、見た目の面白味や外観が意匠的価値の低いものであった。その後、浴槽の水面に浮かべて遊ぶ入浴おもちゃになる付加価値を見つけたことにより、従来のありきたりの外観形状から幼児や子供などが喜ぶ外観にしなければならない必要性が生じた。
【０００５】
そこで、種々研究した結果、図８に示すように、中芯材を包被する外被布１１の正面部に、目部１２、鼻部１３、口部１４を外被布１１と異なる色の糸で編成すると共に、踵編みによって突出部とする耳部１５を編成して虎の顔を表した表示部１６を施すことを考え出し、外被布１１に虎の顔の表示部１６を施した浴槽、洗濯槽浮遊物吸着具を提供している（例えば、特許文献１参照）。
【先行技術文献】
【特許文献】
【０００６】
【特許文献１】特開２００８−９３１３２
【考案の概要】
【考案が解決しようとする課題】
【０００７】
しかしながら、上記特許文献１の虎の顔を表す表示部１６は、外被布１１の編地の編成工程で、異色の糸使いや編み方を変えたりすることによって仕上げられ製作に時間がかかる欠点があった。また、虎の顔の表示部１６は実体とかけはなれており外観上の体裁は決して良くなかった。さらに、表示部１６は簡単な形状のものに限られており、幼児や子供などが好む人気キャラクターなどの複雑な形状のものは表示できないといった問題点があった。
【０００８】
本考案は、上記のような問題点を解決することを課題として開発されたもので、従来の浴槽、洗濯槽浮遊物吸着具と同様に、水面の皮脂、垢などを吸着するが、製作に時間のかかる外被布に表示部を施さなくてもよく、吊紐の下部にキャラクターなどの装飾体を付設することにより、外観上の意匠的価値を上げ、興趣に富み、浴槽に浮かして遊ぶ楽しみのおもちゃになる浴槽、洗濯槽浮遊物吸着具を提供することを目的とするものである。
【課題を解決するための手段】
【０００９】
上記の課題を解決し、その目的を達成する手段として、本考案は親油性繊維材と浮力材を混合する中芯材と、その中芯材を包被する親油性繊維の外被布とからなり、浴槽や洗濯槽に浮かべて浮遊物などを吸着する吸着具であって、吊紐の下部にキャラクターなどの装飾体を付設したことを特徴とする浴槽、洗濯槽浮遊物吸着具を開発し、採用した。
【００１０】
また、上記のように構成した浴槽、洗濯槽浮遊物吸着具において、キャラクターなどの装飾体は、人、動物、植物、器物、乗り物、擬人化動植物などから選ばれた一つのキャラクターの形状を模した装飾体であることを特徴とする浴槽、洗濯槽浮遊物吸着具を開発し、採用した。
【考案の効果】
【００１１】
請求項１によれば、吸着具本体の上部に取り付けられている吊紐の下部にキャラクターなどの装飾体を付設してあるから、外観上の体裁が良くて興趣に富んだ浴槽、洗濯槽浮遊物吸着具となり、浴槽に浮かぶ皮脂、垢などの浮遊物を吸着して水面をきれいにすると共に、キャラクターなどの装飾体で、幼児や子供などが楽しめる浴槽浮きおもちゃになり、入浴への興味を持たせることができ、入浴が嫌いな幼児や子供でも嫌がらず楽しく入浴するようになるという効果が生じる。また、従来のように、外被布に表示部を施さなくてもよく、また、限られた表示部だけでなく、各種のキャラクターなどの装飾体を付設すれば良いので、外観を体裁よく変えることができる。さらに、洗濯槽に浮かべることにより、衣類に付着した皮脂を剥離し、洗濯中に上層部に浮かんできた皮脂を吸着することにより、排水時における衣類への再付着を防止できるものである。
【００１２】
また、請求項２によれば、キャラクターなどの装飾体は、人、動物、植物、器物、乗り物、擬人化動植物などから選ばれた一つのキャラクターの形状を模した装飾体としてあるから、幅広い外観形態が可能となり、幼児や子供に喜ばれる浴槽、洗濯槽浮遊物吸着具になる。
【図面の簡単な説明】
【００１３】
【図１】本考案の浴槽、洗濯槽浮遊物吸着具の正面図である。
【図２】キャラクターなどの装飾体を示す背面図である。
【図３】外被布の底部に中芯材を入れた断面図である。
【図４】外被布の上部布を反転して下部布に重合した断面図である。
【図５】外被布服の下端部を緊締した断面図である。
【図６】浴槽に入れた状態を示す簡略断面図である。
【図７】洗濯槽に入れた状態を示す簡略断面図である。
【図８】従来例の正面図である。
【考案を実施するための形態】
【００１４】
以下に、本考案の実施の形態を添付図面に基づいて説明すれば、図１〜図５は本考案の浴槽、洗濯槽浮遊物吸着具を示しており、その吸着具本体１は大別すると、親油性の繊維糸で編まれた外被布２と、その外被布２で包被される中芯材３を構成する比重１以下の親油性繊維材３ａと、比重１以上の親油性繊維材３ｂと、浮力材３ｃおよび吊紐４、キャラクターなどの装飾体５とで構成されている。
【００１５】
上記の外被布２は、油脂成分に対して親和性あるいは吸着性を有する親油性繊維が用いられる。親油性繊維としては、比重０．９１のポリプロピレン、比重０．９４のポリエチレン、比重１．３８のポリエステル、比重１．３９のポリ塩化ビニルなどの合成繊維糸が好適であり、縦長の有底円筒状に編成されている。
【００１６】
中芯材３は、比重１以下のポリプロピレンやポリエチレン、比重１以上のポリエステルやポリ塩化ビニルなどの親油性の合成繊維材３ａ，３ｂと、比重１以下で、長さ４〜８ｍｍのプラスチックパイプ浮力材３ｃを混合してボール状に形成されている。
【００１７】
ポリプロピレンやポリエチレン３ａ、ポリエステルやポリ塩化ビニル３ｂは編布、織布、不織布あるいはそれらの裁断屑布などを用いることができ、特に裁断屑布を使用すると、生地のロスがなくなると共に、ゴミの発生も少なくなる。より好ましいのは、被覆が容易で吸着性の良い、比重０．９１で水中に浮遊する浮力材機能を併せて持つポリプロピレンの不織布３ａと、比重１．３９のポリ塩化ビニルの不織布３ｂと、ポリエチレンパイプ浮力材３ｃを混合してボール状に形成したものである。
【００１８】
このポリプロピレンの不織布３ａ、ポリ塩化ビニルの不織布３ｂは油脂成分の吸着能力が自重の１５〜２５倍有していることから、主として皮脂、汗などの油性の汚れを積極的に吸着するが、他の浮遊部も吸着する。
【００１９】
吊紐４は、一端部４ａを中芯材３内に埋没した細幅のループ状のものであり、使用後、掛け具などに掛けて乾かすようになっている。また、後述のキャラクターなどの装飾体５の背面に設けてある孔径の広がるビニールパイプ６に通して挿通固定している。
【００２０】
キャラクターなどの装飾体５としては、例えば、図１に示したクマのキャラクターに限らず、人間、動物、植物、物体、器物、乗り物、擬人化動植物などから選ばれたキャラクターの形状を模した装飾体であり、吊紐４を挿通固定する孔径の広がるビニールパイプ６を背面部に一体的に取り付けてある。
【００２１】
上記のように構成された浴槽、洗濯槽浮遊物吸着具は、図３に示すように、ボール状の中芯材３を外被布２の底部に入れた後、吊紐４の折り返し端部４ａを中芯材３内に入れ、結束バンド７で結束し、図４に示すように、上部筒体２ａを反転させて下部筒体２ｂに重ねて２重層に包皮し、下端開口部８を引き寄せて結束バンド９で結束して吸着具本体１が得られる。
【００２２】
このように構成した本考案の実施形態における使用例を作用、効果と共に説明すると、図６に示すように、浴槽Ａに入れると、吸着具本体１は水面を浮くことになり、水面に浮遊する皮脂、湯垢、毛髪を外被布２で吸着する。特に外被布２と中芯材３が親油性繊維で構成されているから、油脂成分の皮脂を積極的に吸着すると共に、臭気成分も吸着されることから清潔な湯になり、残り湯を洗濯水として使用できて経済的である。
【００２３】
また、吊紐４の下部にはキャラクターなどの装飾体５を取り付けてあるから、外観上の体裁がよくなり、興趣に富み、幼児や子供の浴槽用浮きおもちゃとして利用できることから、入浴に興味を持たせて、入浴嫌いな幼児や子供を無理なく入浴に誘う効果も期待できる。さらに、キャラクターなどの装飾体５の背面には、孔径の広がるビニールパイプ管６を取り付けてあるから、吊紐４を挿通して固定することができ取り付けが容易にできる。
【００２４】
また、図７に示すように、洗濯機の洗濯槽Ｂに浮かべることにより、洗濯中に衣類に付着した皮脂が剥離され、上層部に浮かんできた皮脂を吸着することにより、排水時における衣類への再付着を防止でき洗い上がりがきれいになる。
【００２５】
以上、本考案の主要な実施の形態について説明したが、本考案は上記実施の形態に限定されるものではなく、本考案の目的を達成でき、かつ本考案の要旨を逸脱しない範囲内において種々の設計変更が可能であることは言うまでもない。
【産業上の利用可能性】
【００２６】
本考案は、浴槽の水面に浮遊する皮脂、湯垢、毛髪などを吸着する浴槽浮遊物吸着具として使用するのは勿論のこと、洗濯機の洗濯槽内に入れて、衣類に付着した汚れを洗濯物に付着させることなく、吸着して汚染を防ぐための洗濯槽浮遊物吸着具としても有効に利用できるものである。
【符号の説明】
【００２７】
１    吸着具本体          
２    外被布    
３    中芯材
３ａ  親油性繊維材
３ｂ  親油性繊維材
３ｃ  浮力材      
４    吊紐
５    装飾体
６    パイプ
Ａ    浴槽
Ｂ    洗濯槽
【図１】
0003154541.tif 000003
【図２】
0003154541.tif 000004
【図３】
0003154541.tif 000005
【図４】
0003154541.tif 000006
【図５】
0003154541.tif 000007
【図６】
0003154541.tif 000008
【図７】
0003154541.tif 000009
【図８】
0003154541.tif 000010